(57)【特許請求の範囲】
【請求項１】
左右に設けられた側壁、底壁、および上部とから構成される角形の桟部材と、
渦巻状に巻き取り可能な間隔を保って平行に複数個が連結して配列されるように、前記桟部材の下を横切って配置され、上面に前記間隔に配列された前記桟部材の左右各側壁に弾性的に接触して立つ一対宛の起立片と、前記桟部材の左右の各側壁と前記起立片との間で弾性的に噛み合うスナップ係合部とから構成される可撓性を有する連結帯材と、
を設けたことを特徴とする簀の子形床マット。
【請求項２】
請求項１に記載された簀の子形床マットにおいて、前記桟部材の左右に設けられた側壁の外面に連設された互いに内方に向けられた横溝と、前記横溝と弾性的にスナップ結合できる連結帯材の起立片に設けられた爪とからなることを特徴とする簀の子形床マット。
【請求項３】
左右に設けられた側壁、前記側壁に連設され、底部から内側に相対向して短く折り返された一対の折返片を備えた底壁、および上部とから構成される角形の桟部材と、
渦巻状に巻き取り可能な間隔を保って平行に複数個が連結して配列されるように、前記桟部材の下を横切って配置され、上面に前記間隔に配列された前記桟部材の左右各側壁に弾性的に接触して立つ一対宛の起立片と、前記一対宛の起立片の内側に前記一対の折り返し片の内面に沿って立つ一対宛の補助起立片と、前記補助起立片と前記桟部材の前記折返片との間で弾性的に噛み合うスナップ係合部とから構成される可撓性を有する連結帯材と、
を設けたことを特徴とする簀の子形床マット。
【請求項４】
左右に設けられた側壁、孔を有する底壁、および上部とから構成される角形の桟部材と、
渦巻状に巻き取り可能な間隔を保って平行に複数個が連結して配列されるように、前記桟部材の下を横切って配置され、上面に前記間隔に配列された前記桟部材の左右各側壁に弾性的に接触して立つ一対宛の起立片と、前記桟部材の底壁に設けられた孔に弾性的に噛み合って突入する上向き突入部とから構成される可撓性を有する連結帯材と、
を設けたことを特徴とする簀の子形床マット。
【請求項５】
請求項４に記載の簀の子形床マットにおいて、連結帯材のスナップ係合部の上向き突入部は上下方向の割目によって収縮できる茸形の釦であり、棧部材の底壁の孔のスナップ係合部は上記茸形の釦の傘の下に抑えられる孔の縁であることを特徴とする簀の子形マット。
【請求項６】
請求項４または請求項５のに記載の簀の子形マットにおいて、連結帯材は棧部材の左右の各側壁の外面に沿って弾性的に接触して立つ起立片を備えていることを特徴とする簀の子形床マット。
【発明の詳細な説明】
【０００１】
【発明の属する技術分野】
この発明は、建物の入口の床に敷いたり、その床に設けた浅い窪みの中に嵌め入れ、建物に入る人の履物の裏に付着する泥、水、砂埃などを取り除いて床や窪みの中に落としたり、プールサイド、ベランダ、浴室などの床にに置き、水などを床に落とし、床を掃除するために撤去したり、或いは格納、運搬などの際には渦状に巻き取ることができる巻取り可能な簀の子形床マットに関する。
【０００２】
【従来の技術】
本特許出願人は、特許第３７１７４１０号公報および特許第３６６８４３２号公報によって左右の両側壁に背中合わせのＣ形断面の凹溝を有する第１部材としての棧部材と、上記２つの棧部材の相対向した側壁にある凹溝にスライドして回動可能に嵌合する係合凸部を両側に有する第２部材としての板状連結部材と、上記棧部材の両側壁にある凹溝の内部に両端部からねじ込み、上記連結部材の係合凸部が棧部材の両側壁にある凹溝の各端部から脱出するのを阻止し、且つ第１部材と第２部材とを回動可能に組立てる抜け止め部材としてのビスと、上記ビスにより第１部材の両端の端面に固定される端面板とからなる箕の子形床マットを提案した。
【０００３】
上記棧部材、連結部材はアルミニウムやプラスチックの押出し成形法で長尺に成形し、必要な長さに切断して製造し、連結部材の両側にある係合凸部を二本の桟材の相対向した側壁にあるＣ形断面の凹溝に一端から挿入する。この場合、桟部材と連結部材とを回動可能にするため、凹溝の開放部の開放角度は６０〜９０°になっている。
【０００４】
【発明が解決しようとする課題】
そうすると、凹溝の一端又は他端から連結部材の係合凸部が抜け出ないように凹溝の各端部を塞ぐためビスをねじ込むことが必要で、１つの棧部材に対して
４本宛のビスをねじ込まねばならず、非常に手数がかかる。更に、棧部材と連結部材とはほぼ同じ長さなので、押出し成形する材料の使用量が多く、このため製品の重量も大で、コストが嵩むと共に、取扱いも不便である。
【０００５】
【課題を解決するための手段】
そこで、本発明は、ビスを使用することなく組立てができ、しかも材料の使用量を少なくして軽量で、取扱いも容易になるように改良したのであって、請求項１の簀の子形床マットは左右の側壁を有し、所定の間隔を保って平行に配列される複数の角形の棧部材と、上記棧部材の平行な列の下を横切って配置され、上面には上記各棧部材の左右の各側壁に弾性的に接触して立つ一対宛の起立片を間隔を保って有する可撓な連結帯材とからなり、上記棧部材の左右の各側壁と連結帯材の起立片との間に弾性的に噛合うスナップ係合部を設けたことを特徴とする。この場合、棧部材の左右の側壁の外面に一連の横溝を設け、スナップ係合部は上記左右の側壁の外面の一連の横溝と上記左右の側壁の外面に沿って立つ連結帯材の起立片との間に設けることが好ましい。請求項３の簀の子形床マットは、左右の側壁を有し、所定の間隔を保って平行に配列される複数の角形の棧部材と、上記棧部材の平行な列の下を横切って配置され、上面には上記各棧部材の左右の各側壁に弾性的に接触して立つ一対宛の起立片を間隔を保って有する可撓な連結帯材とからなり、棧部材の左右の各側壁は下端の内側に相対向して短く上に折り返す折返し片を有し、連結帯材は一対宛の起立片の内側に上記折り返し片の内面に沿って立つ一対宛の補助起立片を有し、スナップ係合部を棧部材の左右の側壁の上向きの折り返し片と連結帯材の補助起立片との間に設けたことを特徴とする。又請求項４の簀の子形形成マットは、左右の側壁と底壁とを有し、所定の間隔を保って平行に配列される複数の中空な棧部材と、上記棧部材の平行な列の下を横切って配置される連結帯材とからなり、棧部材の底壁に設けられた孔と、連結帯材の上面に設けられて上記孔に突入する上向き突入部との間に弾性的に噛合うスナップ係合部を設けたことを特徴とする。この場合連結帯材のスナップ係合部の上向き突入部は上下方向の割目によって収縮できる茸形の釦であり、棧部材の底壁の孔のスナップ係合部は上記茸形の釦の傘の下に抑えられる孔の縁であることが好ましい。更に、連結帯材は棧部材の左右の各側壁の外面に沿って弾性的に接触して立つズレ止め片を備えていることが好ましい。
【０００６】
【発明の実施の形態】
図示の各実施例において、１０は左右の側壁１１、１１を有し、所定の間隔を保って平行に配列される角形の棧部材で、棧部材はアルミニウム、真ちゅうなどの金属やプラスチックから長尺に押出し成形し、所要の長さに切断して製造する。この棧部材１０の幅、高さは任意であるが、例えば幅は３０〜６０ｍｍ程度、高さは１０〜３０ｍｍ程度である。
【０００７】
３０は上記棧部材１０の平行な列の下を横切って配置され、上面に棧部材を５〜１０ｍｍ程度の間隔を保って取付けるため、上記棧部材の左右の側壁１１、１１に接触して短く立つ一対宛の相対向した起立片３２、３２を上面に所定の間隔で有する可撓な連結帯材で、連結帯材は弾性を有するプラスチック、例えばナイロンから幅１０〜２０ｍｍ、長さ４０〜５０ｃｍ、厚さ３〜５ｍｍ程度に射出成形で製造する。棧部材を平行に配列した床マットの幅が連結帯材の長さよりも長いときは、複数本の連結帯材を一連につないで対応するために、連結帯材の一端には例えば図３Ｃに示した凸部３１ａ、他端には上記凸部３１ａを弾力的に受入れる凹部３１ｂとからなる連結部３１を設けておく。連結部３１の構造は必ずしも上記凸部３１ａ、凹部３１ｂに限定されず、複数本の連結帯材を一連に連結できるものであればよい。
【０００８】
図１、図２は請求項１、２の実施例であって、棧部材は左右の側壁１１、１１に一連の横溝１２を背中合わせに有し、この横溝と、連結帯材の相対向した一対宛の起立片３２、３２との間に弾性的に噛合うスナップ係合部２０を設ける。スナップ係合させるた、図１では棧部材の左右の側壁の横溝１２は背中合わせのＪ字形断面形状で、下端の外側にある上向きの短い突出片１３で下方の一部が塞がれている。これに対して、連結帯材３０の一対宛の起立片３２、３２は上部に相対向して内向きに曲がった爪３３を備えている。
【０００９】
従って、連結帯材３０の一対宛の起立片３２、３２の間に上から棧部材１０を押し込むと、側壁１１、１１で起立片３２，３２は一旦外向きに反るが、棧部材の上向きの突出片１３が起立片３２、３２の爪３３を下に通過しようとするとき、起立片３２、３２は弾性復元し、爪３３は上向きの短い突出片１３の上からＪ字形断面形状の横溝１２の内部に突入してスナップ係合する。そして、このとき棧部材１０の下端（底壁１４）は連結帯材３０の上面に接触する。
【００１０】
勿論、このように一本宛の棧部材１０を、棧部材を横切って配列した前後複数本の連結帯材３０にある各一対宛の起立片３２、３２の間に上から押し込まないで、連結帯材にある一対宛の起立片３２、３２の間に棧部材１０を、横溝１２が爪３３、３３を受入れるようにスライドして嵌めてもよい。
【００１１】
いずれにしても、図１の実施例は棧部材の両側壁１１にある背中合わせのＪ形断面形状の横溝１２と、連結帯材にあり、その各側壁に弾性的に接触する一対の起立片３２、３２に設けた逆Ｊ形の爪３３とをスナップ係合させて結合するので、転結帯材３０は棧部材１０の列の下を長手方向に複数本しか横切っていないが、その組立て強度は充分に高く、図１（Ｃ）に示したように、棧部材の上面を外にして渦状に巻き取ることができる。
【００１２】
図２の実施例では、棧部材１０は両側壁１１、１１に入口が狭いＣ形断面の横溝１２、１２を背中合せに有する。これに対して、連結帯材の一対宛の起立片３２、３２は上記Ｃ形断面の横溝１２中に逆抜け困難に嵌まり込む相対向した矢尻形の突起３４、３４を有する。つまり、この実施例では横溝１２と起立片３２の矢尻形の突起３４がスナップ係合部２０になる。入口の狭い横溝１２中に入り易くするため、突起３４には一連の中空部３４′を設けてもよい。この実施例の場合は、相対向した矢尻形の突起３４、３４を棧部材の両側壁にある横溝１２中に端部からスライドして挿入し、複数本の連結帯材３０を平行な配列の棧部材の前後や、中間の下を横切って位置させればよい。
【００１３】
図３は請求項３の実施例であって、棧部材の各側壁１１は下端の内側に相対向して短く上に折返す一対の折返し片１５を有し、連結帯材３０は一対の起立辺２、３２の内側に上記折返し片１５の内側に沿って短く立つ一対の補助起立片３５、を有し、補助起立片３５は上記折返し片１５の上端と係合する外向きの爪３６を備えている。この実施例では折返し片１５と外向きの爪３６を有する補助起立片３５がスナップ係合部２０になる。従って、連結帯材の一対の起立片３２、３２の間に棧部材１０を押し込むと、棧部材１０の一対の折返し片１５、１５は一対の補助起立片を内向きに撓めながら降下し、折返し片１５が補助起立片３５を下に通過したとき、補助起立片は直立状態に復元し、補助起立片３５の上端の外向きの爪３０は折返し片１２の上端とスナップ係合する。
【００１４】
こうして、多数本の棧部材１０の平行な列を、その列の下を前後、必要ならば中間でも横切る一連の複数の連結帯材３０によって所要の大きさの床マット（図１Ａ）に組立てることができる。この場合、各棧部材の側壁１１、１１の外面に接触して立つ 一対の起立片３２、３２は棧部材が斜めにズレ動くのを止めるズレ止め片の役目を果たす。
【００１５】
図１、図２の棧部材１０は両側壁１１、１１の下端間を連結する底壁１４を一体に有するが、この底壁は省略してもよい。
【００１６】
図４は請求項４、５、６の実施例であって、棧部材１０は左右の側壁１１、１１の下端間を連結する底壁１４を有し、底壁１４には連結帯材３０の上を横切る前後複数の位置に孔１６が開設されている。孔の形状は一定であればよいが、図面では円孔が示されている。
【００１７】
連結帯材３０には、棧部材１０の下を横切り、所定の間隔を保って複数本の棧部材の平行な列を固定するため、棧部材の底壁にある孔１６に突入する複数本の上向き突入部３７が所定の間隔を保って一体に設けてあり、棧部材の底壁１４の孔１６と、連結帯材の上向き突入部３７との間にスナップ係合部２０が形成してある。
【００１８】
上向き突入部３７は、図示の実施例では上下方向の十文字形の割れ目３８によって収縮可能な茸形の丸い釦であり、棧部材の底壁の孔１６に傘３９をすぼめて突入し、孔１６を上に突き抜けると傘は優先して開き、傘の周縁部下面は孔１６の縁を連結帯材の上面上に抑えられる。従って、棧部材の底壁の孔１６を連結帯材の上面から突出する上向き突入部３７に向かって押し込むことにより、手際よく棧部材１０を、その下を横切る連結帯材３０に対して固定できる。
【００１９】
連結帯材の上面には、図示の如く上向き突入部３７で固定される棧部材の両側壁１１、１１に弾力的に接触する一対宛の起立片３２、３２を同様に設け、棧部材の底壁の孔１６を上向き突入部３７に押し込むとき、及び孔１６を上向き突入部３７に押し込んだ後も、棧部材を連結帯材に対して直交させ、斜めにずれ動くのを防止することが好ましい。
【００２０】
棧部材の底壁の孔１６の形状は任意であり、連結帯材の上向き突入部３７はその孔に突入して棧部材を連結帯材上にスナップ係合して固定できるものであればよい。
【００２１】
各図中、１７は靴底に付着する水、泥、砂などの汚れを取り除くため棧部材１０の上面に設けた靴裏掃除部であり、これは図１に示したように棧部材の上壁に一体に凹凸条として形成してもよいし、図２から４に示したように棧部材の上壁の両側縁に沿い逆Ｌ字形の相対した保持片１８、１８を一体に設け、棧部材の上壁の上面と、両保持片１８、１８との間にブラシを有する部材や、ゴム、スポンジ質の靴裏拭い材１９などをスライドして取付けるようにしてもよい。
【００２２】
【発明の効果】
この発明では、棧部材の平行な列をその下を直交して横切る連結帯材により組立てて床マットにしたので、連結帯材を使用する分、材料の使用量が少なく、且つ軽量な製品ができる。そして、棧部材の上面で靴裏から除去された水、泥、砂などの汚れは棧部材の隣接間隔から床や、底に設けた凹部の底に効率よく落下するので、棧部材の上に汚れが残ることが少ない。
【図面の簡単な説明】
【図１】（Ａ）は本発明による床マットの第１実施例の斜視図、（Ｂ）はその一部の正面図、（Ｃ）は渦状に巻き取った状態の説明図。
【図２】（Ａ）は本発明による床マットの第２実施例の一部の拡大斜視図、（Ｂ）は同上の正面図。
【図３】（Ａ）は本発明による床マットの第３実施例の斜視図、（Ｂ）は同上の一部の拡大斜視図、（Ｃ）は正面図。
【図４】（Ａ）は本発明による床マットの第４実施例の一部の拡大斜視図、（Ｂ）は正面図、（Ｃ）は連結帯材の一部の斜視図。
【符号の説明】
１０      棧部材
１１      棧部材の側壁
１４      棧部材の底壁
１２      横溝
１５      折返し片
１６      底壁の孔
２０      スナップ係合部
３０      連結帯材
３２      起立片
３３、３６   爪
３４      突起
３５      補助起立片
３７      上向き突入部
３８      割れ目
３９      傘
【図１】
0003827591.tif 000002
【図２】
0003827591.tif 000003
【図３】
0003827591.tif 000004
【図４】
0003827591.tif 000005